(57)【要約】【課題】送受信装置を操作できない状況においても、電子メール、ＳＭＳ（ショートメッセージサービス）、ブログ／ミニブログ、又はＳＮＳ（ソーシャル・ネットワーキング・サービス）等の各種のメッセージの返信（応答）をいつでも簡単に行えるようにする。【解決手段】スマートフォン等の送受信装置は、メッセージを取得し、メッセージに対する返信メッセージの候補を作成し、腕時計型デバイス等のウェアラブルコンピュータに送信する。ウェアラブルコンピュータは、送受信装置と近距離通信を行い、送受信装置から返信メッセージの候補を受信し、返信メッセージの候補の中から選択された返信メッセージを送受信装置に送信する。送受信装置は、ウェアラブルコンピュータから受信した返信メッセージを送信する。【選択図】図１
2014134903.tif 000002
【特許請求の範囲】
【請求項１】
メッセージを取得し、前記メッセージに対する返信メッセージの候補を作成し、返信メッセージを送信する送受信装置と、
前記送受信装置と近距離通信を行い、前記送受信装置から前記返信メッセージの候補を受信し、前記返信メッセージの候補の中から選択された返信メッセージを前記送受信装置に送信するウェアラブルコンピュータと
を含む
送受信システム。
【請求項２】
請求項１に記載の送受信システムであって、
前記ウェアラブルコンピュータは、前記送受信装置から受信した前記返信メッセージの候補に、追加の候補を加えて、前記返信メッセージの選択肢とする
送受信システム。
【請求項３】
請求項１又は２に記載の送受信システムであって、
前記送受信装置は、前記ウェアラブルコンピュータから受信した前記返信メッセージを確認し、前記返信メッセージの内容に基づいて、直ちに返信するか、後で返信するかを判断する
送受信システム。
【請求項４】
請求項３に記載の送受信システムであって、
前記送受信装置は、後で返信する場合、前記送受信装置自体の起動やスリープ／休止状態からの復帰を確認し、起動や復帰の後に前記返信メッセージの作成を継続し、完了後に前記返信メッセージを送信する
送受信システム。
【請求項５】
メッセージを取得する手段と、
前記メッセージに対する返信メッセージの候補を作成する手段と、
ウェアラブルコンピュータと近距離通信を行う手段と、
前記ウェアラブルコンピュータに前記返信メッセージの候補を送信する手段と、
前記返信メッセージの候補の中から選択された返信メッセージを前記ウェアラブルコンピュータから受信する手段と、
前記返信メッセージを送信する手段と
を具備する
送受信装置。
【請求項６】
送受信装置が、メッセージを取得し、前記メッセージに対する返信メッセージの候補を作成することと、
ウェアラブルコンピュータが、前記送受信装置と近距離通信を行い、前記送受信装置から前記返信メッセージの候補を受信し、前記返信メッセージの候補の中から選択された返信メッセージを前記送受信装置に送信することと、
前記送受信装置が、前記ウェアラブルコンピュータから前記返信メッセージを受信し、前記返信メッセージを送信することと
を含む
送受信方法。
【請求項７】
送受信装置により実施される送受信方法であって、
メッセージを取得することと、
前記メッセージに対する返信メッセージの候補を作成することと、
ウェアラブルコンピュータと近距離通信を行うことと、
前記ウェアラブルコンピュータに前記返信メッセージの候補を送信することと、
前記返信メッセージの候補の中から選択された返信メッセージを前記ウェアラブルコンピュータから受信することと、
前記返信メッセージを送信することと
を含む
送受信方法。
【請求項８】
メッセージを取得するステップと、
前記メッセージに対する返信メッセージの候補を作成するステップと、
ウェアラブルコンピュータと近距離通信を行うステップと、
前記ウェアラブルコンピュータに前記返信メッセージの候補を送信するステップと、
前記返信メッセージの候補の中から選択された返信メッセージを前記ウェアラブルコンピュータから受信するステップと、
前記返信メッセージを送信するステップと
を送受信装置に実行させるための
プログラム。
【発明の詳細な説明】
【技術分野】
【０００１】
本発明は、送受信システムに関し、特に、電子メール、ＳＭＳ（ショートメッセージサービス）、ブログ／ミニブログ、又はＳＮＳ（ソーシャル・ネットワーキング・サービス）等の各種のメッセージの送受信装置を含む送受信システムに関する。
【背景技術】
【０００２】
現在、既存の携帯電話に代わり、強力な処理能力と、大画面で多くの情報が表示可能なスマートフォン（Ｓｍａｒｔｐｈｏｎｅ）が広く使われるようになってきた。スマートフォンの代表例としては、「ｉＰｈｏｎｅ（登録商標）」や、「Ａｎｄｒｏｉｄ（登録商標）搭載端末」等が知られている。
【０００３】
これらスマートフォンの普及に伴い、電子メールだけでなく、「Ｔｗｉｔｔｅｒ（登録商標）」や「Ｆａｃｅｂｏｏｋ（登録商標）」等が普及し、友人・知人等と様々なメッセージの送受信をする機会、頻度が増えている。
【０００４】
一方、最近、ウェアラブルコンピュータ（ｗｅａｒａｂｌｅ  ｃｏｍｐｕｔｅｒ）の分野で、腕時計のように普段身につけるデバイス（腕時計型デバイス）が製品化された。例えば、「ＳｍａｒｔＷａｔｃｈ（登録商標）」、「ＷＩＭＭ（登録商標）  Ｏｎｅ」等が代表的な腕時計型デバイスである。これらのデバイスを、電子メール、ＳＭＳ（ショートメッセージサービス）、ブログ／ミニブログ、又はＳＮＳ（ソーシャル・ネットワーキング・サービス）等の各種のメッセージの送受信の用途に使うことが想定されている。
【０００５】
スマートフォンは、電子メール、ＳＭＳ、ブログ／ミニブログ、又はＳＮＳ等の各種のメッセージの送受信にも利用されている。しかし、スマートフォンは、筐体のサイズが大きく、操作に両手が必要になることから、荷物を持っている等で片手が塞がっている状況や、満員電車や混雑した施設／店舗内のようにスマートフォンを取り出せない状況、会議中／会食中や映画／音楽の鑑賞中のようにスマートフォンの使用に差支えがある状況では、電子メール、ＳＭＳ、ブログ／ミニブログ、又はＳＮＳ等の各種のメッセージの送受信を行いにくい。
【０００６】
一方、腕時計型デバイスは、電子メール、ＳＭＳ、ブログ／ミニブログ、又はＳＮＳ等の各種のメッセージの送受信を可能とすることで、片手が塞がっている状況や、スマートフォンを取り出せない状況、スマートフォンの使用に差支えがある状況でも電子メール、ＳＭＳ、ブログ／ミニブログ、又はＳＮＳ等の各種のメッセージの送受信が可能になることが期待される。しかし、腕時計型デバイスは、電子メール、ＳＭＳ、ブログ／ミニブログ、又はＳＮＳ等の各種のメッセージの返信（応答）の際の操作性に難がある。例えば、デバイスの画面が小さくいため、返信のための文字入力や編集が難しい。
【０００７】
［公知技術］
当該技術分野における公知技術として、特許文献１（特開２０００−０６９１４９号公報）に、通信端末、該通信端末に接続される接続端末、該接続端末と無線通信する携帯端末、及びこれら各端末で構成される携帯端末システムが開示されている。この公知技術では、通信端末、該通信端末に着脱自在に接続される接続端末、該接続端末と無線により接続する該接続端末と別体の携帯端末を有する携帯端末システムの通信端末において、当該通信端末の情報を取得する情報取得機構と、この情報取得機構により取得した情報を接続端末に接続端子を介して出力する出力機構とを備えている。通信端末から接続端末に当該通信端末が有する情報、例えば受信電波強度、圏外、位置登録更新、設定情報、通信履歴等を出力すると、接続端末がこれを携帯端末に無線送信し、この送信される情報を携帯端末側で表示する。
【０００８】
また、特許文献２（特開２００２−３３５５６７号公報）に、携帯電話機補助装置が開示されている。この携帯電話機補助装置は、携帯電話機本体を身体から距離の離れた場所に保管している場合等にも、特に使用者が着信情報を知る手段として着信音を頼ることができない場面でも、携帯電話機への着信の際に、携帯電話機本体を取り出し表示を見ることなしに即座に発信者番号等の着信情報を知り通信種別や相手等を判断可能にする腕時計形態の携帯電話機補助装置である。
【０００９】
また、特許文献３（特開２００４−２５２６２６号公報）に、情報端末装置へのメッセージ伝達方法が開示されている。この公知技術では、生活情報や警報信号等の各種情報を個々のセンサーで検知し、その情報を情報端末装置に送信し、情報端末装置は着信をバイブレータで装着者に通知し、メッセージをＬＣＤに表示する伝達方法において、個々のセンサーはシリアル出力を持ち、その個々のセンサーで検出されるメッセージ記憶部のメッセージをシリアル伝送させる。
【先行技術文献】
【特許文献】
【００１０】
【特許文献１】特開２０００−０６９１４９号公報
【特許文献２】特開２００２−３３５５６７号公報
【特許文献３】特開２００４−２５２６２６号公報
【発明の概要】
【発明が解決しようとする課題】
【００１１】
本発明の目的は、電子メール、ＳＭＳ、ブログ／ミニブログ、又はＳＮＳ等の各種のメッセージの補助的な入出力装置を設け、送受信装置の操作性を向上させる送受信システムを提供することである。
【００１２】
本発明の他の目的は、補助的な入出力装置として腕時計型デバイス等のウェアラブルコンピュータで、電子メール、ＳＭＳ、ブログ／ミニブログ、又はＳＮＳ等の各種のメッセージの返信（応答）のための処理を行い、処理が不十分な場合、自機で継続して返信のための処理を行うことができるスマートフォン等の送受信装置を提供することである。
【課題を解決するための手段】
【００１３】
本発明に係る送受信システムは、送受信装置（スマートフォン等）と、ウェアラブルコンピュータ（腕時計型デバイス等）を含む。送受信装置は、メッセージを取得し、メッセージに対する返信メッセージの候補を作成し、ウェアラブルコンピュータに送信する。ウェアラブルコンピュータは、送受信装置と近距離通信を行い、送受信装置から返信メッセージの候補を受信し、返信メッセージの候補の中から選択された返信メッセージを送受信装置に送信する。送受信装置は、ウェアラブルコンピュータから受信した返信メッセージを送信する。
【００１４】
本発明に係る送受信装置は、メッセージを取得する機構と、メッセージに対する返信メッセージの候補を作成する機構と、ウェアラブルコンピュータと近距離通信を行う機構と、ウェアラブルコンピュータに返信メッセージの候補を送信する機構と、返信メッセージの候補の中から選択された返信メッセージをウェアラブルコンピュータから受信する機構と、返信メッセージを送信する機構とを備える。
【００１５】
本発明に係る送受信方法では、送受信装置が、メッセージを取得し、メッセージに対する返信メッセージの候補を作成する。また、ウェアラブルコンピュータが、送受信装置と近距離通信を行い、送受信装置から返信メッセージの候補を受信し、返信メッセージの候補の中から選択された返信メッセージを送受信装置に送信する。また、送受信装置が、ウェアラブルコンピュータから返信メッセージを受信し、返信メッセージを送信する。
【００１６】
本発明に係るプログラムは、メッセージを取得するステップと、メッセージに対する返信メッセージの候補を作成するステップと、ウェアラブルコンピュータと近距離通信を行うステップと、ウェアラブルコンピュータに返信メッセージの候補を送信するステップと、返信メッセージの候補の中から選択された返信メッセージをウェアラブルコンピュータから受信するステップと、返信メッセージを送信するステップとを送受信装置に実行させるためのプログラムである。なお、本発明に係るプログラムは、記憶装置や記憶媒体に格納することが可能である。
【発明の効果】
【００１７】
電子メール、ＳＭＳ（ショートメッセージサービス）、ブログ／ミニブログ、又はＳＮＳ（ソーシャル・ネットワーキング・サービス）等の各種のメッセージの返信（応答）がいつでも簡単に行えるようになり、その場で返事が書けないときでも、後から忘れずに返信することができるようになる。
【図面の簡単な説明】
【００１８】
【図１】本発明に係る送受信システムの構成例を示す図である。
【図２】第１実施形態に係るスマートフォン及び腕時計型デバイスの構成例を示す図である。
【図３】第１実施形態に係る動作を説明するためのシーケンス図である。
【図４】第２実施形態に係るスマートフォン及び腕時計型デバイスの構成例を示す図である。
【図５Ａ】第２実施形態に係る動作の前半を説明するためのフローチャートである。
【図５Ｂ】第２実施形態に係る動作の後半を説明するためのフローチャートである。
【発明を実施するための形態】
【００１９】
＜基本形態＞
以下に、本発明について添付図面を参照して説明する。
【００２０】
［全体構成］
図１に示すように、本発明に係る送受信システムは、スマートフォン１０と、腕時計型デバイス２０を備える。
【００２１】
スマートフォン１０は、外部から電子メール、ＳＭＳ（ショートメッセージサービス）、ブログ／ミニブログ、又はＳＮＳ（ソーシャル・ネットワーキング・サービス）等の各種のメッセージを受信し、腕時計型デバイス２０に表示する。また、外部から受信したメッセージから返信（応答）メッセージの候補（返信候補）を生成し、腕時計型デバイス２０に表示する。また、腕時計型デバイス２０から受信した返信メッセージで十分である場合、その返信メッセージを所定の宛先（メッセージ送信元等）に送信する。反対に、腕時計型デバイス２０から受信した返信メッセージでは十分でない場合、その返信メッセージを一旦保存し、スマートフォン１０の起動や、スリープ／休止状態からの復帰を確認（チェック）し、起動や復帰の後に、継続して返信メッセージを作成／編集し、完了後に返信メッセージを送信する。なお、スマートフォン１０は、送受信装置の一例に過ぎない。例えば、スマートブック（Ｓｍａｒｔｂｏｏｋ）等でも良い。
【００２２】
腕時計型デバイス２０は、利用者が選択するためのユーザインタフェースに、スマートフォン１０から受信した返信候補を含む選択肢を表示し、表示された選択肢の中から返信メッセージとして適当なものを利用者に選択させる。利用者により適当な返信メッセージが選択された場合、その返信メッセージをスマートフォン１０に送信する。なお、腕時計型デバイス２０は、ウェアラブルコンピュータの一例に過ぎない。例えば、ヘッドマウントディスプレイ（Ｈｅａｄ  Ｍｏｕｎｔｅｄ  Ｄｉｓｐｌａｙ）等でも良い。
【００２３】
スマートフォン１０と腕時計型デバイス２０間の通信には、無線ＬＡＮやＢｌｕｅｔｏｏｔｈ（登録商標）等の近距離無線通信を使用する。但し、実際には、有線通信を使用しても良い。
【００２４】
＜第１実施形態＞
以下に、本発明の第１実施形態について説明する。
【００２５】
［スマートフォン及び腕時計型デバイスの詳細］
図２を参照して、本実施形態に係るスマートフォン１０及び腕時計型デバイス２０の構成例について、詳細に説明する。
【００２６】
［スマートフォンの構成］
スマートフォン１０は、メッセージ受信部１１と、返信候補生成部１２と、メッセージ確認部１３と、メッセージ返信部１４と、メッセージ保存部１５と、起動確認部１６と、メッセージ編集部１７を備える。
【００２７】
メッセージ受信部１１は、電子メール、ＳＭＳ、ブログ／ミニブログ、又はＳＮＳ等の各種のメッセージを受信する。なお、メッセージ受信部１１は、インターネット上の特定の掲示板やブログ等に書き込まれるメッセージについては、更新通知があった場合、或いは周期的に確認（チェック）して更新があった場合、自動的に新規のメッセージを取得（要求／受信）するようにしても良い。
【００２８】
返信候補生成部１２は、メッセージ受信部１１が受信したメッセージから返信候補を生成する。例えば、返信候補生成部１２は、受信したメッセージに応じた返信候補を生成する。なお、返信候補生成部１２は、基本情報として、所定のメッセージと、それに対応する返信候補とを予め対応付けて記憶していても良い。
【００２９】
メッセージ確認部１３は、返信候補生成部１２が生成した返信候補を含む選択肢から利用者が返信メッセージとして何を選択したかを確認する。なお、メッセージ確認部１３は、受信したメッセージと、利用者が選択した返信候補とを対応付けて記憶するようにしても良い。この場合、返信候補生成部１２は、以降に受信したメッセージから返信候補を生成する際、当該メッセージに対応付けられた返信候補を優先的に作成することができるようになる。
【００３０】
メッセージ返信部１４は、利用者が選択した返信メッセージを、電子メールやＳＭＳ等で送信する。宛先（送信先）は、メッセージ受信部１１が受信したメッセージの送信元である。但し、実際には、別の宛先に転送しても良い。また、メッセージ返信部１４は、利用者が選択した返信メッセージを、インターネット上の特定の掲示板やブログ等に書き込んでも良い。
【００３１】
メッセージ保存部１５は、スマートフォン１０から返信するメッセージ（返信メッセージ）を保存する。
【００３２】
起動確認部１６は、スマートフォン１０の起動や、スリープ／休止状態からの復帰を確認（チェック）する。なお、起動確認部１６は、スマートフォン１０に対するユーザ操作を検知した際に、起動や復帰と判断するようにしても良い。
【００３３】
メッセージ編集部１７は、返信メッセージを編集する。例えば、メッセージ編集部１７は、利用者が返信メッセージを編集するためのユーザインタフェース（Ｕｓｅｒ  Ｉｎｔｅｒｆａｃｅ：ＵＩ）を表示する。
【００３４】
［腕時計型デバイスの構成］
腕時計型デバイス２０は、メッセージ表示部２１と、返信候補選択部２２を備える。
【００３５】
メッセージ表示部２１は、スマートフォン１０からスマートフォン１０から受信したメッセージを表示する。
【００３６】
返信候補選択部２２は、スマートフォン１０の返信候補生成部１２で生成した返信候補を含む選択肢を表示し、利用者が選択肢の中から返信メッセージを選択するためのユーザインタフェースを提供する。
【００３７】
［動作の説明］
図３を参照して、本実施形態における動作の詳細について説明する。
【００３８】
（１）ステップＳ１０１
スマートフォン１０のメッセージ受信部１１は、スマートフォン１０に届いた電子メール、ＳＭＳ、ブログ／ミニブログ、又はＳＮＳ等の各種のメッセージを受信する。
【００３９】
（２）ステップＳ１０２
メッセージ受信部１１は、受信したメッセージを、腕時計型デバイス２０のメッセージ表示部２１に送信する。
【００４０】
（３）ステップＳ１０３
腕時計型デバイス２０のメッセージ表示部２１は、メッセージ受信部１１から受信したメッセージをディスプレイに表示する。
【００４１】
（４）ステップＳ１０４
また、スマートフォン１０のメッセージ受信部１１は、受信したメッセージを、返信候補生成部１２に送る（引き渡す）。
【００４２】
（５）ステップＳ１０５
返信候補生成部１２は、メッセージ受信部１１から送られたメッセージの内容から、返信するメッセージの候補（返信候補）をいくつか（少なくとも１つ）生成する。例えば、メッセージ本文が、「今日の待ち合わせ、７時にいつもの場所で大丈夫？」だった場合、「大丈夫」、「都合が悪い」といった返信候補を生成する。
【００４３】
（６）ステップＳ１０６
返信候補生成部１２は、生成された返信候補を、腕時計型デバイス２０の返信候補選択部２２に送信する。
【００４４】
（７）ステップＳ１０７
腕時計型デバイス２０の返信候補選択部２２は、返信候補生成部１２から返信候補を受信し、受信した返信候補に、追加／捕捉の返信候補を組み合わせて選択肢とし、そのうちの１つを選択できるユーザインタフェースを提供する。例えば、表示された返信候補に加え、「後でもう一度返信する」（とりあえず簡潔に返信し、後で正式に返信する）、「今返信しないで後でスマートフォンから返信する」という追加／捕捉の返信候補を組み合わせて選択肢とし、そのうちの１つを選択できるユーザインタフェースを提供する。返信候補選択部２２は、追加／捕捉の返信候補を事前に（予め）記憶しており、返信候補生成部１２から受信した返信候補に含まれていないものを抽出し、抽出した返信候補を、受信した返信候補と組み合わせて選択肢とするものとする。但し、実際には、返信候補選択部２２は、選択肢の中からいくつかの返信候補を選択可能とし、選択された全ての返信候補を組み合わせて１つの返信メッセージを作成するユーザインタフェースを提供するようにしても良い。返信候補選択部２２は、ユーザインタフェースと選択肢をディスプレイに表示する。
【００４５】
（８）ステップＳ１０８
利用者は、表示された選択肢の中から１つを選択する。すなわち、返信候補選択部２２は、ユーザインタフェースに対する利用者の選択操作に応じて、表示された選択肢の中から１つを返信メッセージとして選択し、選択された返信メッセージを、スマートフォン１０のメッセージ確認部１３に送信する。例えば、利用者は、編集する必要がなく直ちに返信する（十分である）と判断した場合、「大丈夫」、「都合が悪い」等の選択肢を返信メッセージとして選択する。反対に、編集する必要があり後で返信する（十分でない）と判断した場合、「今返信しないで後でスマートフォンから返信する」等の選択肢を返信メッセージとして選択する。なお、現状では編集せずに返信する（仮としては十分である）が、後で編集してもう一度返信する（正式には十分でない）と判断した場合、「後でもう一度返信する」等の選択肢を返信メッセージとして選択する。
【００４６】
（９）ステップＳ１０９
スマートフォン１０のメッセージ確認部１３は、文字解析を行い、選択された返信メッセージを確認（チェック）し、直ちに返信するか、後で返信するかを判断する。
【００４７】
（１０）ステップＳ１１０
メッセージ確認部１３は、返信メッセージを直ちに返信する場合は、返信メッセージをメッセージ返信部１４に送る。例えば、返信メッセージが、「大丈夫」、「都合が悪い」、「後でもう一度返信する」のいずれかの場合には、メッセージ返信部１４に送る。
【００４８】
（１１）ステップＳ１１１
メッセージ返信部１４は、メッセージ確認部１３から受け取った返信メッセージを、メッセージ受信部１１が受信したメッセージの送信元に送信する。
【００４９】
（１２）ステップＳ１１２
また、メッセージ確認部１３は、返信メッセージを後で返信する場合は、返信メッセージ自体、もしくは、返信メッセージのＩＤ（識別子）をメッセージ保存部１５に保存する。例えば、返信メッセージが、「後でもう一度返信する」、「今返信しないで後でスマートフォンから返信する」の場合には、返信メッセージ自体もしくは返信メッセージのＩＤをメッセージ保存部１５に保存する。
【００５０】
（１３）ステップＳ１１３
メッセージ保存部１５は、メッセージ確認部１３から受け取った返信メッセージを格納し保存する。
【００５１】
（１４）ステップＳ１１４
スマートフォン１０の起動確認部１６は、スマートフォン１０の起動や、スリープ／休止状態からの復帰を監視する。
【００５２】
（１５）ステップＳ１１５
起動確認部１６は、起動時や復帰時には、メッセージ保存部１５を確認（チェック）し、返信メッセージ自体もしくは返信メッセージのＩＤが保存されていた場合、その返信メッセージをメッセージ編集部１７に渡す。なお、起動確認部１６は、返信メッセージ自体もしくは返信メッセージのＩＤがメッセージ保存部１５に保存されてから一定期間が経過した場合にも、その返信メッセージをメッセージ編集部１７に渡すようにしても良い。また、実際には、起動確認部１６からの通知を受けて、メッセージ編集部１７がメッセージ保存部１５に保存された返信メッセージを取得するようにしても良い。
【００５３】
（１６）ステップＳ１１６
メッセージ編集部１７は、返信メッセージを受け取ると、継続して返信メッセージを作成／編集するための返信画面を表示し、利用者の操作に基づいて作成／編集された返信メッセージをメッセージ返信部１４に渡す。なお、メッセージ編集部１７は、返信メッセージを受け取った際、事前設定に基づいて自動的に返信メッセージを作成／編集してメッセージ返信部１４に渡すようにしても良い。すなわち、メッセージ編集部１７は、返信メッセージの編集を行い、作成／編集後にメッセージ返信部１４から送信する。また、実際には、メッセージ編集部１７は、作成／編集後のメッセージをメッセージ保存部１５の保存し、メッセージ編集部１７からの通知を受けて、メッセージ返信部１４がメッセージ保存部１５に保存された作成／編集後の返信メッセージを取得するようにしても良い。
【００５４】
（１７）ステップＳ１１７
メッセージ返信部１４は、メッセージ編集部１７から受け取った返信メッセージを、メッセージ受信部１１が受信したメッセージの送信元に送信する。
【００５５】
これにより、腕時計型デバイス２０で「後から返信する」としたメッセージを、利用者がスマートフォン１０を操作したときに優先的に表示させることができる。
【００５６】
＜第２実施形態＞
以下に、本発明の第２実施形態について説明する。
【００５７】
［スマートフォン及び腕時計型デバイスの詳細］
図４を参照して、本実施形態に係るスマートフォン１０及び腕時計型デバイス２０の構成例について、詳細に説明する。
【００５８】
［スマートフォンの構成］
スマートフォン１０は、メッセージ受信部１１と、返信候補生成部１２と、メッセージ確認部１３と、メッセージ返信部１４と、メッセージ保存部１５と、起動確認部１６と、メッセージ編集部１７と、メッセージ履歴ＤＢ（データベース）１８を備える。
【００５９】
メッセージ受信部１１、返信候補生成部１２、メッセージ確認部１３、メッセージ返信部１４、メッセージ保存部１５、起動確認部１６、及びメッセージ編集部１７については、基本的に、第１実施形態と同様である。動作の違いについては後に詳述する。
【００６０】
メッセージ履歴ＤＢ１８は、過去のメッセージを蓄積する。例えば、メッセージ受信部１１がメッセージを受信した際にメッセージ履歴ＤＢ１８にメッセージを保存する。過去のメッセージは、キーワード、送信者、時間帯を情報として持つ。なお、実際には、受信メッセージに限らず、返信メッセージを蓄積しても良い。すなわち、メッセージ受信部１１、返信候補生成部１２、メッセージ確認部１３、メッセージ返信部１４、及びメッセージ編集部１７のうち少なくとも１つがメッセージ履歴ＤＢ１８に過去のメッセージを保存できるようにしても良い。このとき、メッセージ履歴ＤＢ１８は、メッセージ保存部１５と共通でも良い。また、メッセージ履歴ＤＢ１８は、スマートフォン１０の外部に設けられ、スマートフォン１０からアクセス可能なデータベース装置でも良い。また、メッセージ履歴ＤＢ１８は、メッセージの送信元／送信先毎に、個別に設けられていても良い。
また、メッセージ履歴ＤＢ１８は、受信したメッセージと、返信メッセージとを対応付けて蓄積しても良い。
【００６１】
ここでは、メッセージ履歴ＤＢ１８にメッセージを保存するタイミングとして、メッセージの受信時や送信時を例に説明する。メッセージ履歴ＤＢ１８は、最初は空であり、スマートフォン１０がメッセージの送受信を繰り返すことで、メッセージを蓄積していく。返信候補生成部１２は、最初はメッセージ履歴ＤＢ１８が空であるため、受信したメッセージから返信候補を生成する。その後、メッセージ履歴ＤＢ１８にメッセージが蓄積されると、返信候補生成部１２は、受信したメッセージのみならず、メッセージ履歴ＤＢ１８に蓄積されたメッセージも参照して、これらのメッセージから返信候補を生成する。
【００６２】
［腕時計型デバイスの構成］
腕時計型デバイス２０は、連携処理部３０を備える。
【００６３】
連携処理部３０は、連携プログラムに従って、スマートフォン１０と連携し、メッセージ表示部２１と返信候補選択部２２を動作させる。
【００６４】
連携処理部３０は、メッセージ表示部２１と、返信候補選択部２２を備える。
【００６５】
メッセージ表示部２１及び返信候補選択部２２については、基本的に、第１実施形態と同様である。動作の違いについては後に詳述する。
【００６６】
［動作の説明］
図５Ａ、図５Ｂを参照して、本実施形態における動作について説明する。
【００６７】
（１）ステップＳ２０１
スマートフォン１０のメッセージ受信部１１は、定期的に、電子メール、ＳＭＳ、ブログ／ミニブログ、又はＳＮＳ等の各種のメッセージの到着を確認（チェック）する。このとき、スマートフォン１０の持つ機能の１つである、サーバからのメッセージ通知の受信機能を用いて、メッセージの到着を認識するようにしても良い。或いは、メッセージ受信部１１は、インターネット上の特定の掲示板やブログ等に書き込まれるメッセージについては、更新通知があった場合、或いは周期的に確認（チェック）して更新があった場合、自動的に新規のメッセージを取得するようにしても良い。
【００６８】
（２）ステップＳ２０２
メッセージ受信部１１は、メッセージを受信した場合、当該メッセージにユニークな（一意の）メッセージＩＤを付与してメッセージ保存部１５に保存する。
【００６９】
（３）ステップＳ２０３
また、メッセージ受信部１１は、メッセージを腕時計型デバイス２０の連携処理部３０に送信する。
【００７０】
（４）ステップＳ２０４
腕時計型デバイス２０の連携処理部３０は、スマートフォン１０から受信したメッセージをメッセージ表示部２１に送る。メッセージ表示部２１は、スマートフォン１０から受信したメッセージを表示する。
【００７１】
（５）ステップＳ２０５
また、スマートフォン１０のメッセージ受信部１１は、メッセージを返信候補生成部１２に送る。また、メッセージ受信部１１は、メッセージをメッセージ履歴ＤＢ１８に保存し蓄積する。返信候補生成部１２は、メッセージ受信部１１が受信したメッセージの内容を解析し、メッセージ履歴ＤＢ１８に蓄積された過去のメッセージを、キーワード、送信者、時間帯に基づいて（検索キーとして）検索し、検出した過去のメッセージを参考情報として使用し、返信するメッセージの候補を複数個生成する。
【００７２】
（６）ステップＳ２０６
返信候補生成部１２は、生成した複数の返信候補を、メッセージ受信部１１で付与したメッセージＩＤと共に腕時計型デバイス２０の連携処理部３０に送信する。
【００７３】
（７）ステップＳ２０７
連携処理部３０は、生成された複数の返信候補に「後でもう一度返信する」という返信候補や、「今返信しないで後でスマートフォンから返信する」という返信候補を追加して選択肢とし、返信候補選択部２２に送る。
【００７４】
（８）ステップＳ２０８
返信候補選択部２２は、表示された選択肢の中から１つの返信候補を選択できるユーザインタフェースを、腕時計型デバイス２０のディスプレイに表示する。
【００７５】
（９）ステップＳ２０９
利用者は、ユーザインタフェースに対する操作により、表示された選択肢の中から１つの返信候補を選択する。すなわち、返信候補選択部２２は、ユーザインタフェースに対する利用者の選択操作に応じて、表示された選択肢の中から１つの返信候補を選択する。
【００７６】
（１０）ステップＳ２１０
連携処理部３０は、利用者が選択した返信候補に対応する返信メッセージとその付随データをスマートフォン１０のメッセージ確認部１３に送る。選択した返信候補が、「今返信しないで後でスマートフォンから返信する」の場合には、返信メッセージは空となる。また、送られる付随データは、メッセージＩＤと、再返信要否識別子である。再返信要否識別子は、スマートフォン１０での別途返信を必要とするか判別するための識別子である。例えば、再返信要否識別子は、連携処理部３０が追加した「後でもう一度返信する」という返信候補、「今返信しないで後でスマートフォンから返信する」という返信候補が選択された場合に「ＴＲＵＥ」（真）、それ以外の返信候補が選択された場合、「ＦＡＬＳＥ」（偽）となる。
【００７７】
（１１）ステップＳ２１１
メッセージ確認部１３は、腕時計型デバイス２０の連携処理部３０から送られた返信メッセージが空であるか確認（チェック）する。
【００７８】
（１２）ステップＳ２１２
メッセージ確認部１３は、返信メッセージが空でない場合には、返信メッセージをメッセージ返信部１４に送る。メッセージ返信部１４は、返信メッセージを送信する。
【００７９】
（１３）ステップＳ２１３
メッセージ確認部１３は、再返信要否識別子が「ＴＲＵＥ」であるか確認（チェック）する。
【００８０】
（１４）ステップＳ２１４
メッセージ確認部１３は、再返信要否識別子が「ＴＲＵＥ」の場合、メッセージ保存部１５に保存されたメッセージを、腕時計型デバイス２０の連携処理部３０から送られたメッセージＩＤに基づいて（検索キーとして）検索し、そのメッセージに対して再返信要の識別子（再返信要否識別子でも可）を追加する。
【００８１】
（１５）ステップＳ２１５
メッセージ確認部１３は、再返信要否識別子が「ＦＡＬＳＥ」の場合、メッセージ保存部１５に保存されたメッセージを、連携処理部３０から送られたメッセージＩＤに基づいて（検索キーとして）検索し、メッセージ保存部１５からそのメッセージ自体を削除する。
【００８２】
（１６）ステップＳ２１６
スマートフォン１０の起動確認部１６は、スマートフォン１０の起動や、スリープ／休止状態からの復帰を監視する。起動時や復帰時には、メッセージ保存部１５を確認（チェック）し、再返信要の識別子が付与されているメッセージとそのメッセージＩＤをメッセージ編集部１７に渡す。
【００８３】
（１７）ステップＳ２１７
メッセージ編集部１７は、渡されたメッセージをスマートフォン１０のディスプレイに表示する。利用者は、スマートフォン１０のディスプレイに表示されたメッセージを確認し、返信メッセージを作成／編集する。すなわち、メッセージ編集部１７は、利用者の操作に基づいて返信メッセージを作成／編集する。
【００８４】
（１８）ステップＳ２１８
メッセージ編集部１７は、作成／編集された返信メッセージをメッセージ返信部１４に送る。メッセージ返信部１４は、返信メッセージを返信先に送信する。
【００８５】
（１９）ステップＳ２１９
また、メッセージ編集部１７は、返信メッセージを送信した後、メッセージ保存部１５に保存されたメッセージを、メッセージＩＤに基づいて（検索キーとして）検索し、メッセージ保存部１５からそのメッセージ自体を削除する。
【００８６】
これにより、腕時計型デバイス２０で「後から返信する」としたメッセージを、利用者がスマートフォン１０を操作したときに優先的に表示させることができる。
【００８７】
＜第３実施形態＞
以下に、本発明の第３実施形態について説明する。
【００８８】
上記の各実施形態では、スマートフォン１０が返信候補を生成しているが、実際には、クラウドコンピューティングを利用し、クラウドで処理するようにしても良い。すなわち、返信候補生成部１２は、スマートフォン１０上ではなく、クラウド上に存在していても良い。
【００８９】
＜第４実施形態＞
以下に、本発明の第４実施形態について説明する。
【００９０】
上記の各実施形態では、返信候補生成部１２で生成される返信候補は文章であるが、生成される返信候補は絵文字やイラスト等でも良い。すなわち、返信候補生成部１２は、文章に限らず、絵文字やイラスト等も、返信候補として生成することができる。例えば、特定の絵文字やイラスト等が、直ちに返信する／後で返信する等の意味を持つものとする。このとき、腕時計型デバイス２０の返信候補選択部２２は、受信した絵文字やイラスト等に、追加／捕捉の絵文字やイラスト等を組み合わせて選択肢とすることもできる。また、スマートフォン１０のメッセージ確認部１３は、選択された絵文字やイラスト等を確認（チェック）し、直ちに返信するか、後で返信するかを判断することもできる。
【００９１】
＜第５実施形態＞
以下に、本発明の第５実施形態について説明する。
【００９２】
上記の各実施形態では、メッセージ編集部１７は、返信メッセージを返信画面に表示しているが、実際には、スマートフォン１０が持つ情報通知領域（ステータスバー）に表示しても良い。
【００９３】
＜第６実施形態＞
以下に、本発明の第６実施形態について説明する。
【００９４】
上記の各実施形態では、スマートフォン１０と腕時計型デバイス２０間の通信には、近距離無線通信を使用しているが、実際には、近距離無線通信に限らず、遠距離無線通信も使用できるようにしても良い。例えば、遠距離無線通信を使用することで、スマートフォン１０を自宅等に置き忘れた場合にも、装着している腕時計型デバイス２０を用いて、返信メッセージの作成や送信を行えるようにすることができる。
【００９５】
＜第７実施形態＞
以下に、本発明の第７実施形態について説明する。
【００９６】
上記の各実施形態では、返信候補生成部１２で生成される返信候補はメッセージのみに基づいて作成されているが、実際には、メッセージの送信元や送信先に応じて返信候補の内容を変化させても良い。例えば、返信候補生成部１２は、返信候補を作成する際、メッセージの送信元／送信先毎に設けられたメッセージ履歴ＤＢ１８を参照し、送信元がいつも敬語でメッセージを送信してくる相手である場合や、送信先がいつも敬語で返信メッセージを送信している相手である場合、敬語のメッセージの返信候補を作成するようにしても良い。
【００９７】
＜各実施形態の関係＞
なお、上記の各実施形態は、組み合わせて実施することも可能である。
【００９８】
＜本発明の特徴＞
送受信装置は、電子メール、ＳＭＳ、ブログ／ミニブログ、又はＳＮＳ等の各種のメッセージを受信し、腕時計型に代表されるデバイス（腕時計型デバイス）で表示する連携機構を持つ（メッセージ受信部１１とメッセージ表示部２１）。
【００９９】
また、送受信装置は、電子メール、ＳＭＳ、ブログ／ミニブログ、又はＳＮＳ等の各種のメッセージを受信し、その内容に応じて、返信候補の文章を生成する機構を持つ（返信候補生成部１２）。
【０１００】
また、送受信装置は、利用者の返信候補選択により、スマートフォンで継続して返信の作成／編集を行う機構を持つ（メッセージ保存部１５とメッセージ編集部１７）。
【０１０１】
［本発明固有の作用・効果］
第１の効果は、荷物を持っている等で片手が塞がっている状況や、満員電車や混雑した施設／店舗内のようにスマートフォンを取り出せない状況、会議中／会食中や映画／音楽の鑑賞中のようにスマートフォンの使用に差支えがある状況でも、腕時計型デバイスにより、電子メール、ＳＭＳ、ブログ／ミニブログ、又はＳＮＳ等の各種のメッセージの送受信が行えることである。
【０１０２】
その理由は、スマートフォンと腕時計型デバイスが連携し、受信したメッセージを腕時計型デバイスで表示し、返信する文章を選択肢の中から選択することで、小さな画面の腕時計型デバイスでも返信が可能になるためである。
【０１０３】
第２の効果は、選択肢の中に適切な返信文がない場合も、スマートフォンで継続して返信が可能になることである。
【０１０４】
その理由は、返信候補が適切でない場合、返信画面を継続してスマートフォンで表示することが可能になるためである。
【０１０５】
＜ハードウェアの例示＞
以下に、本発明に係る送受信システムを実現するための具体的なハードウェアの例について説明する。
【０１０６】
図示しないが、上記のようなスマートフォン１０及び腕時計型デバイス２０の各々は、プログラムに基づいて駆動し所定の処理を実行するプロセッサと、当該プログラムや各種データを記憶するメモリと、ネットワークとの通信に用いられるインターフェースによって実現されると考えられる。
【０１０７】
上記のプロセッサの例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、或いは、専用の機能を有する半導体集積回路（ＬＳＩ：Ｌａｒｇｅ  Ｓｃａｌｅ  Ｉｎｔｅｇｒａｔｉｏｎ）等が考えられる。
【０１０８】
上記のメモリの例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）等のリムーバブルディスクや、ＳＤメモリカード（Ｓｅｃｕｒｅ  Ｄｉｇｉｔａｌ  ｍｅｍｏｒｙ  ｃａｒｄ）等の記憶媒体（メディア）等が考えられる。また、バッファ（ｂｕｆｆｅｒ）やレジスタ（ｒｅｇｉｓｔｅｒ）等でも良い。或いは、ＤＡＳ（Ｄｉｒｅｃｔ  Ａｔｔａｃｈｅｄ  Ｓｔｏｒａｇｅ）、ＦＣ−ＳＡＮ（Ｆｉｂｒｅ  Ｃｈａｎｎｅｌ  −  Ｓｔｏｒａｇｅ  Ａｒｅａ  Ｎｅｔｗｏｒｋ）、ＮＡＳ（Ｎｅｔｗｏｒｋ  Ａｔｔａｃｈｅｄ  Ｓｔｏｒａｇｅ）、ＩＰ−ＳＡＮ（ＩＰ  −  Ｓｔｏｒａｇｅ  Ａｒｅａ  Ｎｅｔｗｏｒｋ）等を用いたストレージ装置でも良い。
【０１０９】
なお、上記のプロセッサ及び上記のメモリは、一体化していても良い。例えば、近年では、マイコン等の１チップ化が進んでいる。したがって、電子機器等に搭載される１チップマイコンが、上記のプロセッサ及び上記のメモリを備えている事例も考えられる。
【０１１０】
上記のインターフェースの例として、ネットワーク通信に対応した基板（マザーボード、Ｉ／Ｏボード）やチップ等の半導体集積回路、ＮＩＣ（Ｎｅｔｗｏｒｋ  Ｉｎｔｅｒｆａｃｅ  Ｃａｒｄ）等のネットワークアダプタや同様の拡張カード、アンテナ等の通信装置、接続口（コネクタ）等の通信ポート等が考えられる。
【０１１１】
また、ネットワークの例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）、バックボーン（Ｂａｃｋｂｏｎｅ）、ケーブルテレビ（ＣＡＴＶ）回線、固定電話網、携帯電話網、ＷｉＭＡＸ（ＩＥＥＥ  ８０２．１６ａ）、３Ｇ（３ｒｄ  Ｇｅｎｅｒａｔｉｏｎ）、専用線（ｌｅａｓｅ  ｌｉｎｅ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線、データバス等が考えられる。
【０１１２】
なお、スマートフォン１０及び腕時計型デバイス２０の各々の内部の構成要素は、モジュール（ｍｏｄｕｌｅ）、コンポーネント（ｃｏｍｐｏｎｅｎｔ）、或いは専用デバイス、又はこれらの起動（呼出）プログラムでも良い。
【０１１３】
但し、実際には、これらの例に限定されない。
【０１１４】
＜付記＞
上記の実施形態の一部又は全部は、以下の付記のように記載することも可能である。但し、実際には、以下の記載例に限定されない。
【０１１５】
［付記１］
メッセージを取得し、当該メッセージに対する返信メッセージの候補を作成し、返信メッセージを送信する送受信装置（スマートフォン等）と、
当該送受信装置と近距離通信を行い、当該送受信装置から当該返信メッセージの候補を受信し、当該返信メッセージの候補の中から選択された返信メッセージを当該送受信装置に送信するウェアラブルコンピュータ（腕時計型デバイス等）と
を含む
送受信システム。
【０１１６】
［付記２］
付記１に記載の送受信システムであって、
当該ウェアラブルコンピュータは、当該送受信装置から受信した当該返信メッセージの候補に、追加の候補を加えて、当該返信メッセージの選択肢とする
送受信システム。
【０１１７】
［付記３］
付記１又は２に記載の送受信システムであって、
当該送受信装置は、当該ウェアラブルコンピュータから受信した当該返信メッセージを確認し、当該返信メッセージの内容に基づいて、直ちに返信するか、後で返信するかを判断する
送受信システム。
【０１１８】
［付記４］
付記３に記載の送受信システムであって、
当該送受信装置は、後で返信する場合、当該送受信装置自体の起動やスリープ／休止状態からの復帰を確認し、起動や復帰の後に当該返信メッセージの作成を継続し、完了後に当該返信メッセージを送信する
送受信システム。
【０１１９】
［付記５］
メッセージを取得する機構と、
当該メッセージに対する返信メッセージの候補を作成する機構と、
ウェアラブルコンピュータと近距離通信を行う機構と、
当該ウェアラブルコンピュータに当該返信メッセージの候補を送信する機構と、
当該返信メッセージの候補の中から選択された返信メッセージを当該ウェアラブルコンピュータから受信する機構と、
当該返信メッセージを送信する機構と
を具備する
送受信装置。
【０１２０】
＜備考＞
以上、本発明の実施形態を詳述してきたが、実際には、上記の実施形態に限られるものではなく、本発明の要旨を逸脱しない範囲の変更があっても本発明に含まれる。
【符号の説明】
【０１２１】
１０…  スマートフォン
１１…  メッセージ受信部
１２…  返信候補生成部
１３…  メッセージ確認部
１４…  メッセージ返信部
１５…  メッセージ保存部
１６…  起動確認部
１７…  メッセージ編集部
１８…  メッセージ履歴ＤＢ
２０…  腕時計型デバイス
２１…  メッセージ表示部
２２…  返信候補選択部
３０…  連携処理部
【図１】
2014134903.tif 000003
【図２】
2014134903.tif 000004
【図３】
2014134903.tif 000005
【図４】
2014134903.tif 000006
【図５Ａ】
2014134903.tif 000007
【図５Ｂ】
2014134903.tif 000008